(57)【特許請求の範囲】
【請求項１】
画面上に複数の設定項目を表示するとともに、前記設定項目の選択を受け付けるタッチパネル部を有する操作表示部と、
前記操作表示部に向かって光を照射する複数の光源で構成され、前記光源各々に対して第１輝度での発光、前記第１輝度より明るさを低下させた第２輝度での発光、及び消灯の少なくとも３段階での点灯及び消灯が可能な光源部と、
前記複数の設定項目各々の選択履歴を記憶する記憶部と、
前記操作表示部に表示されている前記複数の設定項目のうち前記記憶部に記憶された前記複数の設定項目各々の選択履歴に基づき選択回数最多設定項目に対応する前記光源のみを前記第１輝度で発光させ、前記選択回数最多設定項目以外の前記設定項目に対応する前記光源を前記第２輝度で発光させる制御部と、
を備え、
前記制御部が、一の表示ジョブ中において前記設定項目が選択されたことを条件として選択された前記設定項目に対応する前記光源を前記第２輝度で発光させるとともに、選択された前記設定項目の色彩を選択前と変更させることを特徴とする表示装置。
【請求項２】
前記制御部は、一の表示ジョブ中において前記第１輝度で発光させた前記光源に対応する前記設定項目が選択されたことを条件としてその設定項目に対して前記記憶部に記憶された選択履歴に基づき次に選択回数が多い前記設定項目に対応する前記光源を前記第１輝度で発光させることを特徴とする請求項１に記載の表示装置。
【請求項３】
請求項１または請求項２に記載の表示装置を搭載したことを特徴とする画像形成装置。
【発明の詳細な説明】
【技術分野】
【０００１】
本発明は、タッチパネル機能を有し、その操作によって項目選択やキー入力が可能な表示装置に関する。また、この表示装置を搭載した画像形成装置に関する。
【背景技術】
【０００２】
近年、携帯型情報機器に代表される多くの電化製品に、前面にタッチパネル部を備えた表示装置が搭載されている。複写機やプリンタ、ファクシミリ、スキャナといった画像形成装置も同様に、その装置正面に表示装置を備えているものがある。このような表示装置は一般的にタッチパネル部が設けられ、液晶などで構成された画面上に様々な設定項目や入力キーを表示するとともに、それら設定項目や入力キーに手で直接、或いはタッチペンなどの入力補助具で触れることにより、文字入力や命令実行などの操作を受け付ける。
【０００３】
また、表示装置は蛍光ランプやＬＥＤなどで構成されるバックライトを備えている。そして、このバックライトが多くの電力を消費するので、表示装置の低消費電力化に関連する様々な技術が提案され、その一例を特許文献１に見ることができる。特許文献１に記載された液晶表示装置は画面の一部分だけを表示状態に、残りの部分を非表示状態にすることができる機能を有しており、非表示部分の輝度調整をして非表示部分に見られる違和感を解消している。
【先行技術文献】
【特許文献】
【０００４】
【特許文献１】特開平１１−３１１９８１号公報
【発明の概要】
【発明が解決しようとする課題】
【０００５】
しかしながら、特許文献１に記載された液晶表示装置は表示領域の表示／非表示の切り替えや輝度調整のみに注目しており、表示装置としてのユーザの使い勝手を考慮しているわけではない。すなわち、様々な機器に搭載される表示装置としては、その低消費電力化を図りながら、優先的に設定すべき項目や既に設定済みの項目を分かり易く画面上に表示させるようにする工夫を凝らすことが望まれる。
【０００６】
本発明は上記の点に鑑みなされたものであり、低消費電力化に加えて、操作性の向上が図られた表示装置を提供することを目的とする。また、このような表示装置を搭載し、良好な使い勝手を備えた画像形成装置を提供することを目的とする。
【課題を解決するための手段】
【０００７】
上記の課題を解決するため、本発明は表示装置において、画面上に複数の設定項目を表示するとともに、前記設定項目の選択を受け付けるタッチパネル部を有する操作表示部と、前記操作表示部に向かって光を照射する複数の光源で構成され、前記光源各々に対して第１輝度での発光、前記第１輝度より明るさを低下させた第２輝度での発光、及び消灯の少なくとも３段階での点灯及び消灯が可能な光源部と、前記複数の設定項目各々の選択履歴を記憶する記憶部と、前記記憶部に記憶された前記複数の設定項目各々の選択履歴に基づき前記操作表示部に表示されている前記複数の設定項目のうち予め設定された所定回数以上の選択回数の前記設定項目に対応する前記光源を前記第１輝度で発光させ、前記所定回数未満の選択回数の前記設定項目に対応する前記光源を前記第２輝度で発光させる制御部と、を備えることとした。
【０００８】
この構成によれば、操作表示部に表示される数多くの設定項目のうち使用頻度が比較的高い設定項目が比較的明るく表示され、使用頻度が比較的低い設定項目が比較的暗く表示される。したがって、使用頻度が比較的低い設定項目に関して光源部の電力消費が抑制され、且つ優先的に設定すべき重要な設定項目をユーザが一見して把握でき、操作上の混乱を回避できる。
【０００９】
なお、上記「所定回数」は使用頻度が比較的低い設定項目を識別するための基準となる予め設定された選択回数であり、例えば５回、１０回、３０回などといった任意の回数に設定することができる。後述する実施形態ではこの「所定回数」を例えば「１０回」としているが、この回数に限定されるわけではない。
【００１０】
また、上記構成の表示装置において、前記制御部は、対応する前記光源を前記第１輝度で発光させる前記設定項目のうち前記記憶部に記憶された前記複数の設定項目各々の選択履歴に基づき選択回数最多設定項目に対応する前記光源のみを前記第１輝度で発光させ、前記選択回数最多設定項目以外の設定項目に対応する前記光源を前記第２輝度で発光させることとした。
【００１１】
この構成によれば、選択回数最多設定項目、すなわち使用頻度が最も高い設定項目が他の設定項目より明るく表示される。したがって、表示装置の操作性、低消費電力化がより一層高められる。
【００１２】
また、上記構成の表示装置において、前記制御部は、一の表示ジョブ中において前記第１輝度で発光させた前記光源に対応する前記設定項目が選択されたことを条件としてその設定項目に対して前記記憶部に記憶された選択履歴に基づき次に選択回数が多い前記設定項目に対応する前記光源を前記第１輝度で発光させることとした。
【００１３】
この構成によれば、設定項目の選択に従って設定すべき設定項目が次々と比較的明るく表示されるので、ユーザは表示装置の操作に迷うことがなくスムーズに使用することが可能になる。
【００１４】
また、上記構成の表示装置において、前記制御部は、一の表示ジョブ中において前記設定項目が選択されたことを条件として選択された前記設定項目に対応する前記光源を前記第２輝度で発光させるとともに、選択された前記設定項目の色彩を選択前と変更させることとした。
【００１５】
この構成によれば、選択されて設定が済んだ設定項目を比較的暗く表示させて他とは異なる色彩にすることができ、設定済みの設定項目が分かり易くなる。したがって、表示装置の操作性、低消費電力化が一層高められる。
【００１６】
また本発明では、上記構成の表示装置を画像形成装置に搭載することとした。
【００１７】
この構成によれば、画像形成装置において表示装置の電力消費が抑制され、且つ優先的に設定すべき項目をユーザが一見して把握でき、表示装置の操作上の混乱を回避できる。
【発明の効果】
【００１８】
本発明の構成によれば、低消費電力化に加えて、操作性の向上が図られた表示装置を提供することができる。また、このような表示装置を搭載し、良好な使い勝手を備えた画像形成装置を提供することができる。
【図面の簡単な説明】
【００１９】
【図１】本発明の実施形態に係る表示装置を搭載した画像形成装置の模型的垂直断面正面図である。
【図２】図１の画像形成装置の構成を示すブロック図である。
【図３】図１に示す画像形成装置の操作パネル（表示装置）の正面図である。
【図４】図３の操作パネルの操作表示部の光源の配置を示す正面図である。
【図５】図３に示す操作パネルの操作表示部の正面図である。
【図６】図５と同様の操作表示部の正面図にして、設定項目のみを表示した状態を示すものである。
【図７】図６と同様の操作表示部の正面図にして、図６で第１輝度対象設定項目が選択され、変更された状態を示すものである。
【図８】図７と同様の操作表示部の正面図にして、図７でさらに第１輝度対象設定項目が選択され、変更された状態を示すものである。
【図９】図８と同様の操作表示部の正面図にして、図８でさらに第１輝度対象設定項目が選択され、変更された状態を示すものである。
【図１０】図６と同様の操作表示部の正面図にして、図６で第１輝度対象設定項目以外の設定項目が選択された状態を示すものである。
【図１１】コピー時の操作表示部の表示に係る動作を示すフローチャートである。
【発明を実施するための形態】
【００２０】
以下、本発明の実施形態を図１〜図１１に基づき説明する。
【００２１】
最初に、本発明の実施形態に係る表示装置を搭載した画像形成装置について、図１及び図２を用いてその構造の概略を説明しつつ、画像出力動作を説明する。図１は画像形成装置の模型的垂直断面正面図、図２は画像形成装置の構成を示すブロック図である。
【００２２】
画像形成装置１は、図１に示すように本体２の内部下方に給紙カセット３を備えている。給紙カセット３はその内部に印刷前のカットペーパーなどの用紙Ｐを積載して収容している。そして、この用紙Ｐは図１において給紙カセット３の左上方に向け、１枚ずつ分離されて送り出される。給紙カセット３は本体２の正面側から水平に引き出すことが可能である。
【００２３】
本体２の内部であって給紙カセット３の左方には第１用紙搬送部４が備えられている。第１用紙搬送部４は本体２の左側面に沿って略垂直に形設されている。そして、第１用紙搬送部４は給紙カセット３から送り出された用紙Ｐを受け取り、本体２の左側面に沿って垂直上方に二次転写部５まで搬送する。
【００２４】
給紙カセット３の上方であって第１用紙搬送部４が形設された本体２の左側面とは反対側の側面である右側面の箇所には手差し給紙部６が備えられている。手差し給紙部６には給紙カセット３に入っていないサイズの用紙や、厚紙、ＯＨＰシートのように１枚ずつ手で送り込みたいものが載置される。
【００２５】
手差し給紙部６の左方には第２用紙搬送部７が備えられている。第２用紙搬送部７は給紙カセット３のすぐ上方にあって、手差し給紙部６から第１用紙搬送部４まで略水平に延びて第１用紙搬送部４に合流している。そして、第２用紙搬送部７は手差し給紙部６から送り出された用紙を受け取り、略水平に第１用紙搬送部４まで搬送する。
【００２６】
一方、画像形成装置１の本体２の上面には原稿搬送装置８が、その下方の本体２内部には画像読取部９が備えられている。ユーザが原稿の複写を行う場合には、文字や図形、模様などの画像が描かれた原稿を、原稿搬送装置８に積載したり、画像読取部９上面の図示しないコンタクトガラス上に載置したりする。原稿搬送装置８では１枚或いは複数枚の原稿が１枚ずつ分離して送り出され、画像読取部９によってその画像が読み取られる。コンタクトガラス上の原稿に対しては、画像読取部９内で光を走査させることによって画像が読み取られる。
【００２７】
原稿画像の読み取り、すなわち画像形成の開始は本体２の上部であって画像読取部９の正面側に備えられた表示装置である操作パネル３０を用いて指示される。操作パネル３０はユーザによる印刷に使用する用紙の種類やサイズ、拡大縮小、両面印刷の有無といった印刷条件設定などを受け付ける。なお、操作パネル３０の詳細な構成は後述する。
【００２８】
原稿の画像データの情報は後述する本体制御部２０等を経由して画像処理が施された後、第２用紙搬送部７の上方であって、本体２の中央部に配置された露光部１０に送られる。露光部１０により、画像データに基づいて制御されたレーザ光Ｌが画像形成部１１に向かって照射される。
【００２９】
露光部１０の上方には計４台の画像形成部１１が、さらにそれら各画像形成部１１の上方には中間転写体を無端ベルトの形で用いた中間転写ベルト１２が備えられている。中間転写ベルト１２は複数のローラに巻き掛けられて支持され、図示しない駆動装置により図１において時計方向に回転する。
【００３０】
４台の画像形成部１１は、図１に示すように中間転写ベルト１２の回転方向に沿って回転方向上流側から下流側に向けて一列にして配置された所謂タンデム方式である。４台の画像形成部１１とは、上流側から順にイエロー用の画像形成部１１Ｙ、マゼンタ用の画像形成部１１Ｍ、シアン用の画像形成部１１Ｃ、及びブラック用の画像形成部１１Ｂである。これらの画像形成部１１には、各色に対応する現像剤供給容器及び搬送手段（図示せず）により現像剤（トナー）が補給される。なお、以下の説明において、特に限定する必要がある場合を除き、画像形成部１１の「Ｙ」「Ｍ」「Ｃ」「Ｂ」の識別記号は省略するものとする。
【００３１】
各画像形成部１１では、露光部１０によって照射されたレーザ光Ｌにより原稿画像の静電潜像が形成され、この静電潜像からトナー像が現像される。トナー像は、各画像形成部１１の上方に備えられた一次転写部１３で、中間転写ベルト１２表面に一次転写される。そして、中間転写ベルト１２の回転とともに所定のタイミングで各画像形成部１１のトナー像が中間転写ベルト１２に転写されることにより、中間転写ベルト１２表面にはイエロー、マゼンタ、シアン、ブラックの４色のトナー像が重ね合わされたカラートナー像が形成される。
【００３２】
中間転写ベルト１２が用紙搬送路に懸かる箇所には二次転写部５が配置されている。中間転写ベルト１２表面のカラートナー像は第１用紙搬送部４によって同期をとって送られてきた用紙Ｐに、二次転写部５に形成される二次転写ニップ部で転写される。
【００３３】
二次転写後、中間転写ベルト１２表面に残留するトナーなどの付着物は中間転写ベルト１２に対してイエロー用の画像形成部１１Ｙの回転方向上流側に設けられた中間転写ベルト１２用のクリーニング部１４によってクリーニングされ、回収される。
【００３４】
二次転写部５の上方には定着部１５が備えられている。二次転写部５にて未定着トナー像を担持した用紙Ｐは定着部１５へと送られ、熱ローラと加圧ローラとによりトナー像が加熱、加圧されて定着される。
【００３５】
定着部１５の上方には用紙案内部１６が備えられている。定着部１５から排出された用紙Ｐは両面印刷を行わない場合、用紙案内部１６から画像形成装置１の上部に設けられた胴内用紙排出部１７に排出される。
【００３６】
用紙案内部１６から胴内用紙排出部１７に向かって用紙Ｐが排出されるその排出口部分はスイッチバック部１８としての機能を果たす。両面印刷を行う場合にはこのスイッチバック部１８において定着部１５から排出された用紙Ｐの搬送方向が切り替えられる。そして、用紙Ｐは用紙案内部１６を通過し、定着部１５の左方、及び二次転写部５の左方に設けられた両面印刷用用紙搬送路１９を通して下方に送られ、再度第１用紙搬送部４を経て二次転写部５へと送られる。
【００３７】
また、画像形成装置１は装置全体の動作制御のため、図２に示すようにその本体２内にＣＰＵ２１やその他の図示しない電子部品で構成された本体制御部２０を備えている。本体制御部２０はＣＰＵ２１を中央演算処理装置として使用し、記憶部２２などに記憶、入力されたプログラム、データに基づき画像読取部９、画像形成部１１、中間転写ベルト１２、定着部１５などといった構成要素を制御して一連の画像形成動作を実現する。本体制御部２０はユーザによる画像形成装置１の動作に係る条件設定を操作パネル３０から受け付ける。
【００３８】
続いて、表示装置である操作パネル３０の詳細な構成について、図２に加えて、図３〜図６を用いて説明する。図３は画像形成装置１の操作パネル３０の正面図、図４は操作パネル３０の操作表示部の光源の配置を示す正面図、図５は操作表示部の正面図、図６は図５と同様の操作表示部の正面図にして、設定項目のみを表示した状態を示すものである。
【００３９】
操作パネル３０は、図２及び図３に示すようにテンキー３１、スタートキー３２、ストップキー３３、リセットキー３４、エンターキー３５、クリアキー３６、操作表示部３７、光源部３８、操作制御部（制御部）３９、及び記憶部４０を備えている。
【００４０】
テンキー３１、スタートキー３２、ストップキー３３、リセットキー３４、エンターキー３５、及びクリアキー３６は、図３に示すように操作パネル３０の右側の領域に配置されている。テンキー３１は数字入力を受け付けるキーであって、０から９までの数字及び「＊」「＃」が記されている。スタートキー３２は各種動作の開始指示を受け付けるキーである。ストップキー３３は各種動作の停止指示を受け付けるキーである。リセットキー３４は各種設定のリセット指示を受け付けるキーである。エンターキー３５は各種設定を許諾する所謂「ＯＫ」の指示と同様の働きをするキーである。クリアキー３６は入力した数字や文字、記号を消去するキーである。
【００４１】
操作表示部３７は図３に示すように操作パネル３０の中央部に配置されている。そして、操作表示部３７は図２に示すように液晶表示部３７ａ、タッチパネル部３７ｂ、及び光源部３８を備えている。液晶表示部３７ａは設定、入力、指示などの複数の項目やキー、情報を、液晶を用いて表示している。タッチパネル部３７ｂは液晶表示部３７ａの上方に重ねて配置され、ユーザが指などで接触することにより液晶表示部３７ａに表示された設定項目の選択やキーの入力を受け付ける。
【００４２】
光源部３８は操作表示部３７の液晶表示部３７ａに向かって光を照射するバックライトである。光源部３８は、図４に示すように複数、例えば２５個の点光源であるＬＥＤ３８ａで構成されている。各々のＬＥＤ３８ａは液晶表示部３７ａの区分された一定の領域（面）に光を照射する。操作制御部３９は各々のＬＥＤ３８ａを個別に制御して点灯させることができる。例えば、各々のＬＥＤ３８ａは、液晶表示部３７ａに表示させる設定項目や入力キーを比較的はっきりと視認できる明るさを有する第１輝度での発光、この第１輝度より明るさを低下させた第２輝度での発光、及び消灯の少なくとも３段階での点灯及び消灯が可能である。なお、ＬＥＤ３８ａに代えて複数のランプを用いても構わない。
【００４３】
操作制御部３９は図示しないＩＣなどの電子部品で構成され、本体制御部２０による制御に基づき操作パネル３０を制御する制御装置である。操作制御部３９は本体制御部２０からの制御指令により、記憶部２２や記憶部４０などに記憶されたプログラム、データに基づいて表示する設定項目や入力キーの種類、レイアウトを設定することで操作表示部３７を表示制御する。また、操作制御部３９はテンキー３１、スタートキー３２などの各キーやタッチパネル部３７ｂからの情報に基づいてユーザが操作した入力キーを特定してユーザの操作指示として受け付け、その指示を必要に応じて本体制御部２０に送信する。
【００４４】
ここで、操作パネル３０は図５に示すコピー設定画面５０を操作表示部３７に表示することができる。コピー設定画面５０にはメッセージ表示部５１、部数表示部５２、プレビュー部５３、設定表示部５４、及びタブ部５５が配置されている。
【００４５】
メッセージ表示部５１はコピー設定画面５０の上端部左側に設けられている。メッセージ表示部５１には、例えば現在コピーが可能であったり、コピー中であったり、エラーが発生している状態であったりといったユーザに対するメッセージが表示される。
【００４６】
部数表示部５２はコピー設定画面５０の上端部右側に設けられている。部数表示部５２にはコピーを行う際の印刷部数が表示される。印刷部数はテンキー３１により変更が可能である。
【００４７】
プレビュー部５３はコピー設定画面５０の上下方向中央部左側に設けられている。プレビュー部５３には画像読取部９で読み取った原稿の画像データのプレビューや選択された印刷用紙Ｐのサイズや向きなどが表示される。
【００４８】
設定表示部５４はコピー設定画面５０の略中央部に、タブ部５５はコピー設定画面５０の下部に設けられている。設定表示部５４には、例えば選択した印刷用紙のサイズや拡大縮小、濃度などといったコピーに関する各種設定項目５４ａやその設定項目選択キー５４ｂが表示される。設定表示部５４に表示される設定項目５４ａはタブ部５５の各種タブ５５ａを選択することにより切り替えることができる。例えば、図５に示す設定表示部５４には「簡単設定」タブ５５ａの設定項目５４ａが表示されている。タブ５５ａは横方向に、例えば５個並べられている。
【００４９】
そして、操作表示部３７に表示させる設定項目や入力キーは、図５に示すコピー設定画面５０全体として表示する方法のほか、図６に示すように一部に限定して表示する方法もある。図６では限定表示内容として、例えば各種設定項目５４ａやその設定項目選択キー５４ｂが表示されている。このように限定表示される設定項目５４ａは予め定められ、記憶部２２や記憶部４０などに記憶されている。操作表示部３７に設定項目５４ａを限定して表示するとき、操作制御部３９は光源部３８の、設定項目５４ａに対応する箇所のみＬＥＤ３８ａを点灯させる。
【００５０】
また、図５に示すコピー設定画面５０全体表示と、図６に示す限定表示とを切り替えるタイミングや切り替え方法も予め定められ、記憶部２２や記憶部４０などに記憶されている。予め定められたタイミングでコピー設定画面５０全体表示から限定表示へと切り替えられた後、操作表示部３７の設定項目５４ａやその設定項目選択キー５４ｂ以外の箇所を押下することによりコピー設定画面５０全体表示へと戻すことにしても良い。
【００５１】
さらに、操作制御部３９は複数の設定項目５４ａ各々がユーザによって選択された回数を選択履歴として記憶部４０に記憶させている。また、記憶部４０は複数の設定項目５４ａ各々に対応するＬＥＤ３８ａを第１輝度で発光させるか、或いは第２輝度で発光させるかの判定基準となる選択回数に関する所定回数と選択回数最多設定項目とを記憶している。選択回数に関する所定回数は使用頻度が比較的低い設定項目５４ａを識別するための基準でもあり、例えば１０回に予め設定されている。なお、この所定回数は画像形成装置１の累積稼働時間などを考慮して、操作パネル３０で適宜設定することができる。選択回数最多設定項目は設定項目５４ａ各々がユーザによって選択されるたびに更新される。
【００５２】
続いて、コピー時の操作表示部３７の表示に係る動作について、図５及び図６に加えて図７〜図１１を使用し、図１１に示すフローに沿って説明する。図７は図６と同様の操作表示部の正面図にして、図６で第１輝度対象設定項目が選択され、変更された状態を示すもの、図８は図７と同様の操作表示部の正面図にして、図７でさらに第１輝度対象設定項目が選択され、変更された状態を示すもの、図９は図８と同様の操作表示部の正面図にして、図８でさらに第１輝度対象設定項目が選択され、変更された状態を示すもの、図１０は図６と同様の操作表示部の正面図にして、図６で第１輝度対象設定項目以外の設定項目が選択された状態を示すもの、図１１はコピー時の操作表示部３７の表示に係る動作を示すフローチャートである。
【００５３】
画像形成装置１を起動させてコピーが可能な状態にあるとき、操作パネル３０の操作表示部３７には、図５に示すように画面全体に設定項目、入力キー、その他情報等が表示されている。そして、画像形成装置１をこのようなコピーが可能な状態にさせると（図１１のスタート）、操作制御部３９は操作表示部３７に表示された複数の設定項目５４ａに関して記憶部４０に記憶された選択履歴を参照し、複数の設定項目５４ａのうち選択回数が所定回数である１０回以上である設定項目と選択回数最多設定項目とを確認する（ステップ＃１０１）。なおここでは、例えば選択回数が所定回数以上の選択回数最多設定項目を「用紙選択」としている。
【００５４】
そして、本体制御部２０が原稿搬送装置８などに原稿が載置されたことを検知すると、その指令に基づき操作制御部３９は、図６に示すように操作表示部３７に各種設定項目５４ａやその設定項目選択キー５４ｂを限定して表示させる。さらに、操作制御部３９は選択回数最多設定項目である「用紙選択」に対応するＬＥＤ３８ａを第１輝度で発光させ、「用紙選択」以外の設定項目５４ａに対応するＬＥＤ３８ａを第２輝度で発光させる（ステップ＃１０２）。このように、操作制御部３９はコピー時の操作表示部３７における一の表示ジョブをスタートさせる。そして、これにより操作表示部３７に表示される数多くの設定項目５４ａのうち選択回数最多設定項目、すなわち使用頻度が比較的高い「用紙選択」が他の設定項目５４ａより明るく表示される。したがって、これら他の設定項目５４ａに関して光源部３８の電力消費が抑制され、且つ優先的に設定すべき「用紙選択」をユーザが一見して把握でき、操作上の混乱を回避できる。
【００５５】
次に、操作制御部３９はユーザがスタートキー３２を押下したか否かを判定する（ステップ＃１０３）。スタートキー３２が押下された場合（ステップ＃１０３のＹｅｓ）、その情報が操作制御部３９から本体制御部２０へと送られ、コピーが実行される（ステップ＃１０４）。そして、コピー時の操作表示部３７における一の表示ジョブが終了する（図１１のエンド）。
【００５６】
一方、ステップ＃１０３においてスタートキー３２が押下されない場合（ステップ＃１０３のＮｏ）、操作制御部３９はユーザが設定項目選択キー５４ｂに触れることで設定項目５４ａを選択したか否かを判定する（ステップ＃１０５）。操作制御部３９はスタートキー３２が押下されるか、いずれかの設定項目５４ａが選択されるまで待機する（ステップ＃１０５のＮｏ）。
【００５７】
いずれかの設定項目５４ａが選択されると（ステップ＃１０５のＹｅｓ）、操作制御部３９は操作表示部３７またはその他の操作パネル３０上の入力キーから設定の入力を受け付ける（ステップ＃１０６）。そして、操作制御部３９はステップ＃１０５で選択され、ステップ＃１０６で設定された設定項目５４ａが選択回数最多設定項目、すなわち対応するＬＥＤ３８ａを第１輝度で発光させた第１輝度対象設定項目であるか否かを判定する（ステップ＃１０７）。
【００５８】
選択、設定された設定項目５４ａが「用紙選択」、すなわち第１輝度対象設定項目である場合（ステップ＃１０７のＹｅｓ）、操作制御部３９は記憶部４０に記憶された選択履歴に基づき「用紙選択」の次に選択回数が多い第１輝度対象設定項目の候補を確認する（ステップ＃１０８）。そして、操作制御部３９は第１輝度対象設定項目となる設定個目５４ａの次候補が存在するか否かを判定する（ステップ＃１０９）。このとき、操作制御部３９は第１輝度対象設定項目の次候補となり得る設定項目５４ａの選択回数が所定回数である１０回より多いか少ないかを判定条件とする。
【００５９】
第１輝度対象設定項目の次候補が存在するとき（ステップ＃１０９のＹｅｓ）、操作制御部３９は、図７に示すようにステップ＃１０５で選択されたこれまでの第１輝度対象設定項目、すなわち「用紙選択」に対応するＬＥＤ３８ａを第２輝度で発光させるとともに、「用紙選択」の色彩を選択前と変更させる（ステップ＃１１０）。これにより、選択されて設定が済んだ設定項目５４ａである「用紙選択」を比較的暗く表示させて他とは異なる色彩にすることができ、設定済みの設置項目５４ａが分かり易くなる。したがって、操作パネル３０の操作性、低消費電力化が一層高められる。
【００６０】
そして、操作制御部３９は次の第１輝度対象設定項目、例えば図７に示すように「濃度」に対応するＬＥＤ３８ａを第１輝度で発光させ、その他の設定項目５４ａに対応するＬＥＤ３８ａの発光状態を現状維持する。これにより、設定項目５４ａの選択に従って設定すべき設定項目５４ａが次々と比較的明るく表示されるので、ユーザは操作パネル３０の操作に迷うことがなくスムーズに使用することが可能になる。例えば、「用紙選択」、「濃度」に続いて第１輝度対象設定項目が「ページ集約」である場合、操作制御部３９は、図８に示すように「ページ集約」の設定項目５４ａに対応するＬＥＤ３８ａを第１輝度で発光させる。「用紙選択」、「濃度」の各設定項目５４ａは対応するＬＥＤ３８ａが第２輝度で発光され、色彩も選択前と変更されている。
【００６１】
なお、設定項目５４ａが選択されて表示が変更されるたびにステップ＃１０３に戻り、スタートキー３２が押下されたか否かが判定される。
【００６２】
次に、ステップ＃１０９において第１輝度対象設定項目の次候補が存在しない、すなわち次に選択回数が多い設定項目５４ａの選択回数が所定回数１０回より少ない場合（ステップ＃１０９のＮｏ）、操作制御部３９はこれまでの第１輝度対象設定項目に対応するＬＥＤ３８ａを第２輝度で発光させて色彩を選択前と変更させ、その他の設定項目５４ａに対応するＬＥＤ３８ａの発光状態を現状維持する（ステップ＃１１１）。例えば、図８に示す第１輝度対象設定項目である「ページ集約」の次に第１輝度対象設定項目が存在しない場合、図９に示すようにすべての設定項目５４ａに対応するＬＥＤ３８ａが第２輝度で発光する。このように、使用頻度が比較的低く、重要でない設定項目５４ａがすべて比較的暗く表示されるので、操作パネル３０の操作性、低消費電力化がより一層高められる。
【００６３】
なお、図９では「拡大／縮小」、「両面／分割」、「原稿の画質」の各設定項目５４ａは選択前の色彩を、「用紙選択」、「濃度」、「ページ集約」の各設定項目５４ａは選択後の色彩をなしている。
【００６４】
また、ステップ＃１０７において選択、設定された設定項目５４ａが「用紙選択」、すなわち第１輝度対象設定項目でない、例えば「拡大／縮小」であった場合（ステップ＃１０７のＮｏ）、操作制御部３９は選択、設定された設定項目５４ａである「拡大／縮小」に対応するＬＥＤ３８ａを第２輝度で発光させて色彩を選択前と変更させ、その他の設定項目５４ａに対応するＬＥＤ３８ａの発光状態を現状維持する（ステップ＃１１２）。すなわち、「用紙選択」の設定項目５４ａに対応するＬＥＤ３８ａは第１輝度のまま発光している。
【００６５】
このように上記実施形態の構成によれば、低消費電力化に加えて、操作性の向上が図られた表示装置である操作パネル３０を提供することができる。また、このような操作パネル３０を搭載し、良好な使い勝手を備えた画像形成装置１を提供することができる。
【００６６】
以上、本発明の実施形態につき説明したが、本発明の範囲はこれに限定されるものではなく、発明の主旨を逸脱しない範囲で種々の変更を加えて実施することができる。
【００６７】
例えば、本発明の上記実施形態では画像形成装置１に搭載された操作パネル３０（表示装置）を例に掲げて説明したが、発明の適用対象となる機器は画像形成装置に限定されるわけではなく、画像形成装置以外の携帯電話、ＰＤＡなどといった他の電子機器に本発明の表示装置を搭載することにしても構わない。
【００６８】
また、操作パネル３０を搭載した画像形成装置１は中間転写ベルトを用いてトナー像を用紙に転写するカラー印刷用の画像形成装置であるが、発明の適用対象となる画像形成装置がこのような種類に限定されるわけではなく、中間転写ベルトを用いない画像形成装置や白黒印刷用の画像形成装置であっても構わない。
【００６９】
また、上記実施形態では原稿搬送装置８などに原稿が載置されたことに基づき操作表示部３７に各種設定項目５４ａやその設定項目選択キー５４ｂを限定して表示させることとしているが、設定項目５４ａやその設定項目選択キー５４ｂのみを操作表示部３７に表示させるタイミングついてはこれに限定されるわけではなく、他のタイミングで表示させても構わない。例えば、基本的に常時設定項目５４ａやその設定項目選択キー５４ｂのみを操作表示部３７に表示させることにしても良い。
【００７０】
また、図１１に示すフローに沿ったコピー時の操作表示部３７の表示に係る動作についての説明では、最初にＬＥＤ３８ａを第１輝度で発光させた設定項目５４ａを選択回数最多設定項目（例えば「用紙選択」）の１個に限定したが、選択回数最多設定項目以外の選択回数が所定回数（例えば１０回）以上の設定項目５４ａもＬＥＤ３８ａを第１輝度で発光させても良い。
【産業上の利用可能性】
【００７１】
本発明は、タッチパネル機能を有し、その操作によって項目選択やキー入力が可能な表示装置において利用可能である。
【符号の説明】
【００７２】
１    画像形成装置
２０  本体制御部
２２  記憶部
３０  操作パネル（表示装置）
３１  テンキー
３２  スタートキー
３７  操作表示部
３７ａ  液晶表示部
３７ｂ  タッチパネル部
３８  光源部
３８ａ  光源
３９  操作制御部（制御部）
４０  記憶部
５０  コピー設定画面
５４  設定表示部
５４ａ  設定項目
５４ｂ  設定項目選択キー
【図１】
0005343050.tif 000002
【図２】
0005343050.tif 000003
【図３】
0005343050.tif 000004
【図４】
0005343050.tif 000005
【図５】
0005343050.tif 000006
【図６】
0005343050.tif 000007
【図７】
0005343050.tif 000008
【図８】
0005343050.tif 000009
【図９】
0005343050.tif 000010
【図１０】
0005343050.tif 000011
【図１１】
0005343050.tif 000012